(57)【要約】【課題】車内に持ち込まれた物に対して、その物の状況に応じた提案を行うことができる車両用情報提供装置を提供する。【解決手段】車両用情報提供装置に、車内に持ち込まれた物を検出するセンサ手段と、前記センサ手段からの物が持ち込まれたことを示す情報に基づいて、前記物が持ち込まれた時刻を取得し、前記物の状態と前記物が持ち込まれてからの経過時間に基づいて、ユーザに対し前記物に関する提案を行うか否かを判断する提案判断手段と、前記物の状態に基づいて、提案を行う提案提供手段とを備えることにより達成される。【選択図】図１
2007293610.tif 000002
【特許請求の範囲】
【請求項１】
車内に持ち込まれた物を検出するセンサ手段と、
前記センサ手段からの物が持ち込まれたことを示す情報に基づいて、前記物が持ち込まれた時刻を取得し、前記物の状態と前記物が持ち込まれてからの経過時間に基づいて、ユーザに対し前記物に関する提案を行うか否かを判断する提案判断手段と、
前記物の状態に基づいて、提案を行う提案提供手段と
を備えることを特徴とする車両用情報提供装置。
【請求項２】
請求項１に記載の車両用情報提供装置において、
前記提案判断手段は、前記物を検出したセンサ手段から、所定の周期で前記物が検出されるか否かを示す情報を取得することを特徴とする車両用情報提供装置。
【請求項３】
請求項１または２に記載の車両用情報提供装置において、
前記センサ手段は、検出量の変化に基づいて、車両に物が持ち込まれたことを検出し、
前記提案判断手段は、前記検出量の変化に基づいて、ユーザに対し前記物に関する提案を行うか否かを判断することを特徴とする車両用情報提供装置。
【請求項４】
請求項１ないし３のいずれか１項に記載の車両用情報提供装置において、
前記提案提供手段は、車両の状態に基づいて、提案を行うことを特徴とする車両用情報提供装置。
【請求項５】
車内に持ち込まれた物を検出する検出ステップと、
物が検出されたことを示す情報に基づいて、前記物が検出された時刻を取得する検出時刻取得ステップと、
前記物の状態と前記物が検出されてからの経過時間に基づいて、ユーザに対し前記物に関する提案を行うか否かを判断する提案判断ステップと、
前記物の状態に基づいて、提案を行う提案提供ステップと
を有することを特徴とする情報提供方法。
【発明の詳細な説明】
【技術分野】
【０００１】
本発明は、車両などに搭載される車両用情報提供装置および情報提供方法に関する。
【背景技術】
【０００２】
従来から、降車時のライトの消し忘れなどを警告する装置やシステムがある。
【０００３】
しかし、これらのシステムでは、その時点での車両の状態、例えば降車時にライトがＯＮのままであることなどから、その状態が異常であることを警告するために、警告音を直接発するのみである。
【０００４】
また、カメラを用いて、乗車時および降車時の車室内の状況を撮影して画像処理回路のメモリに記憶し、乗車時の車室内の状況と降車時の車室内の状況とを比較して忘れ物の有無を判定する車内忘れ物防止装置が開示されている（例えば、特許文献１参照）。この忘れ物防止装置では、忘れ物が有ると判定したとき、報知手段により、運転者に忘れ物があることを知らせる。
【０００５】
また、車両に搭載される車載装置と、ユーザに携帯されるディテクタとを備える忘れ物警報装置が開示されている（例えば、特許文献２参照）。この車載装置では、ユーザの乗車タイミングおよび降車タイミングの双方においてトリガ信号を送信し、ディテクタにユーザが所持する持ち物を検出させる機能を有し、ディテクタは、車載装置からトリガ信号を受信すると、ユーザが所持している持ち物を検出し、検出した乗車タイミングおよび降車タイミングにおける持ち物を比較して車両内に忘れ物があるか否かを判断する機能を有している。この忘れ物警報装置では、ディテクタにより忘れ物があると判断した場合に、ユーザに警報を発する。
【０００６】
また、車両の状況の判断と学習に基づいて、運転者に対して経路案内やエアコン断続の提案等を行うメインのエージェントと、運転者の当該エージェントに対する習熟度に基づいて、メインのエージェントの行為に対する解説を運転者に行うヘルプエージェントとを、互いに異なる容姿と音声で車内に出現させるエージェント装置が開示されている（例えば、特許文献３参照）。
【特許文献１】特開２００５−１１５９１１号公報
【特許文献２】特開２００５−２３４９９６号公報
【特許文献３】特開平１１−２５０３９５号公報
【発明の開示】
【発明が解決しようとする課題】
【０００７】
しかしながら、上述した背景技術には以下の問題がある。
【０００８】
上述した技術では、車両内に物の置き忘れなどの異常がある場合、異常を示す警告音により置き忘れの通知が行われる。この警告音は、車両内に異常が検出された場合に車両からドライバに一方的に通知される。このような警告音による一方的な通知では、ドライバに緊張感・不快感を与える場合がある。また、このような警告音は異常の種類に関わらず同じであるため、ドライバに異常の内容を特定させることができない問題がある。
【０００９】
また、上述した技術では、車両の状況の判断と学習に基づいて、ドライバに対して経路案内やエアコン断続の提案を行うことができるが、乗車時に車内に持ち込まれた物や、その物の状態に関する提案は、行うことができない問題がある。
【００１０】
そこで、本発明は、上述の点に鑑みてなされたものであり、車内に持ち込まれた物に対して、その物の状況に応じた提案を行うことができる車両用情報提供装置および情報提供方法を提供することを目的とする。
【課題を解決するための手段】
【００１１】
上記課題を解決するため、本発明の車両用情報提供装置は、車内に持ち込まれた物を検出するセンサ手段と、前記センサ手段からの物が持ち込まれたことを示す情報に基づいて、前記物が持ち込まれた時刻を取得し、前記物の状態と前記物が持ち込まれてからの経過時間に基づいて、ユーザに対し前記物に関する提案を行うか否かを判断する提案判断手段と、前記物の状態に基づいて、提案を行う提案提供手段とを備えることを特徴の１つとする。
【００１２】
このように構成することにより、車内に持ち込まれた物、例えば小物の状態の変化に応じて、各種提案を行うことができるため、高度なサービスを提供することができる。
【００１３】
さらに別の構成例では、前記提案判断手段は、前記物を検出したセンサ手段から、所定の周期で前記物が検出されるか否かを示す情報を取得するように構成される。
【００１４】
このように構成することにより、物の状態の変化を検出できる。
【００１５】
さらに別の構成例では、前記センサ手段は、検出量の変化に基づいて、車両に物が持ち込まれたことを検出し、前記提案判断手段は、前記検出量の変化に基づいて、ユーザに対し前記物に関する提案を行うか否かを判断するように構成される。
【００１６】
このように構成することにより、車内に持ち込まれた物、例えば小物の状態の変化を、重量などの検出量の変化に基づいて検出できる。
【００１７】
さらに別の構成例では、前記提案提供手段は、車両の状態に基づいて、提案を行うように構成される。
【００１８】
このように構成することにより、車両の状態、例えばアクセサリ電源のオン・オフに基づいて、各種提案を行うことができる。
【００１９】
本発明の情報提供方法は、車内に持ち込まれた物を検出する検出ステップと、物が検出されたことを示す情報に基づいて、前記物が検出された時刻を取得する検出時刻取得ステップと、前記物の状態と前記物が検出されてからの経過時間に基づいて、ユーザに対し前記物に関する提案を行うか否かを判断する提案判断ステップと、前記物の状態に基づいて、提案を行う提案提供ステップとを有することを特徴の１つとする。
【００２０】
このようにすることにより、車内に持ち込まれた物、例えば小物の状態の変化に応じて、各種提案を行うことができる。
【発明の効果】
【００２１】
本発明の実施例によれば、車内に持ち込まれた物に対して、その物の状況に応じた提案を行うことができる車両用情報提供装置および情報提供方法を実現できる。
【発明を実施するための最良の形態】
【００２２】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２３】
本発明の実施例にかかる情報提供装置１００について、図１を参照して説明する。
【００２４】
本実施例にかかる情報提供装置１００は、例えば車両に搭載され、検出された各種情報から、アドバイスなどの情報をユーザに対して提供する。例えば、情報提供装置１００は、カーナビゲーションシステムに接続され、物が置かれた時間、場所からユーザの行動を予測し、音声と画面表示とを連携させ、例えば休憩や忘れ物に関する提案を行う。
【００２５】
情報提供装置１００は、センサ部１０１と、センサ部１０１の出力信号が入力される提案制御部１０２と、提案制御部１０２の出力信号が入力されるスピーカ部１０３とを備える。提案制御部１０２は、センサ部１０１からの出力信号が入力される提案判断手段および提案提供手段としてのアドバイス制御部２０１と、アドバイス制御部２０１の出力信号が入力される音声制御部２０２とを備える。音声制御部２０２の出力信号はスピーカ部１０３に入力される。
【００２６】
センサ部１０１は、各種検知センサにより構成され、車両に物、例えば小物が持ち込まれたか否かの検出を行う。例えば、センサ部１０１は、物の有無を検知するＣＤ挿入センサなどの物検知センサと、物の状態として、例えば重量などの検出量を求める重量センサなどの検出量検知センサにより構成される。物検知センサは、サングラストレイ、灰皿などに取り付けられ、物が置かれたか否かに基づいて、物が置かれたか否かを判断し、検出量検知センサは、ドリンクフォルダ、グローブボックス、各種収納スペースなどに取り付けられ、検出量の変化に基づいて物が置かれたか否かを判断する。
【００２７】
また、車両内に複数のセンサ部が備えられている場合、各センサ部には、識別するためのセンサ部固有の識別子、例えばセンサＩＤが割り当てられている。
【００２８】
センサ部１０１は、車両に持ち込まれた小物を検出した場合、検出したことを示す情報（検出情報）を、アドバイス制御部２０１に通知する。例えば、センサ部１０１は、検出したことを示す情報（検出情報）を数値データ化し、アドバイス制御部２０１に通知する。例えば、センサ部１０１は、アドバイス制御部２０１に無線により検出情報を通知する。また、センサ部１０１とアドバイス制御部２０１とが有線により接続されるようにしてもよい。この場合、センサ部１０１は、検出情報を、アドバイス制御部２０１に入力する。
【００２９】
例えば、センサ部１０１が物検知センサにより構成されている場合、センサ部１０１は、物の検知の有無に基づいて、物が置かれたか否かを判断し、物が置かれたと判断した場合、センサ部１０１を識別する識別子と物が置かれたことを示す情報とを含む検出情報をアドバイス制御部２０１に通知する。
【００３０】
例えば、センサ部１０１がＣＤ挿入センサにより構成されている場合、ＣＤ挿入センサは、ＣＤの検知の有無に基づいて、ＣＤが挿入されたか否かを判断し、ＣＤが挿入されたと判断した場合、ＣＤ挿入センサを識別する識別子と小物、すなわちＣＤが検出されたことを示す情報とを含む検出情報をアドバイス制御部２０１に通知する。
【００３１】
また、例えば、センサ部１０１がサングラストレイに取り付けられている場合、センサ部１０１はサングラスの有無に基づいて、サングラスが該サングラストレイに装着・収納されたか否かを判断し、サングラスが装着・収納されたと判断した場合、サングラストレイに取り付けられたセンサ部１０１を識別する識別子と小物、すなわちサングラスが検出されたことを示す情報とを含む検出情報をアドバイス制御部２０１に通知する。
【００３２】
また、例えば、センサ部１０１が灰皿に取り付けられている場合、センサ部１０１は、吸い殻の有無に基づいて、吸い殻が捨てられたか否かを判断し、吸い殻が捨てられたと判断した場合、灰皿に取り付けられたセンサ部１０１を識別する識別子と吸い殻が検出されたことを示す情報とを含む検出情報をアドバイス制御部２０１に通知する。
【００３３】
また、例えば、センサ部１０１が検出量検知センサにより構成されている場合、センサ部１０１は、検出量の変化量に基づいて小物が持ち込まれたか否かを判断し、小物が持ち込まれたと判断した場合、センサ部１０１を識別する識別子と小物が検出されたことを示す情報と、その重量を示す情報とを含む検出情報をアドバイス制御部２０１に入力する。例えば、センサ部１０１が重量センサにより構成されている場合、重量センサは、重量の変化量に基づいて小物が持ち込まれたか否かを判断し、小物が持ち込まれたと判断した場合、重量センサを識別する識別子と小物が検出されたことを示す情報と、その重量を示す情報を含む検出情報をアドバイス制御部２０１に通知する。
【００３４】
例えば、センサ部１０１がドリンクフォルダに取り付けられている場合、センサ部１０１は、検出量の変化量に基づいて、物、例えばドリンクが載せられたか否かを判断し、物が載せられたと判断した場合、センサ部１０１を識別する識別子と物、すなわちドリンクが検出されたことを示す情報と、その重量を示す情報を含む検出情報をアドバイス制御部２０１に通知する。
【００３５】
例えば、センサ部１０１がグローブボックス、各種収納スペースに取り付けられている場合、センサ部１０１は、検出量の変化量に基づいて、物が収納されたか否かを判断し、物が収納されたと判断した場合、センサ部１０１を識別する識別子と、物が検出されたことを示す情報と、その重量を示す情報を含む検出情報をアドバイス制御部２０１に通知する。
【００３６】
アドバイス制御部２０１は、センサ部１０１により検出情報が通知された場合、検出された時刻（通知された時刻）を検出し、該センサを示す識別子と対応づけて記憶する。
【００３７】
例えば、センサ部１０１が物検知センサにより構成されている場合、アドバイス制御部２０１は、センサ部１０１により入力された検出情報に基づいて、該センサを示す識別子と、小物が検出されたことを示す情報と、検出された時刻とを対応づけて記憶する。例えば、センサ部１０１が検出量検知センサにより構成されている場合、アドバイス制御部２０１は、センサ部１０１により入力された検出情報に基づいて、該センサを示す識別子と、小物が検出されたことを示す情報と、その小物の重量と、検出された時刻とを対応づけて記憶する。
【００３８】
また、アドバイス制御部２０１は、所定の周期で、検出情報を通知したセンサ部の状況の変化の有無を検出し、該状況の変化に基づいて、適切なアドバイスを決定する。
【００３９】
例えば、検出情報を入力したセンサ部１０１が、物検知センサにより構成されている場合、アドバイス制御部２０１は、所定の周期で該物検知センサから検出情報を取得し、該取得した検出情報の変化の有無に基づいて、ユーザに提供するアドバイスを決定する。また、例えば、検出情報を入力したセンサ部１０１が検出量検知センサにより構成されている場合、アドバイス制御部２０１は、所定の周期で該検出量検知センサから検出情報を取得し、該取得した検出情報と、以前に取得した検出情報との差、例えば検出量の変化量に基づいて、ユーザに提供するアドバイスを選択する。
【００４０】
例えば、センサ部１０１が所定の周期でアドバイス部２０１に検出情報を通知するようにすることにより、アドバイス制御部２０１が検出情報を所定の周期で取得する。また、アドバイス制御部２０１が所定の周期でセンサ部１０１に問い合わせを行うようにすることにより、アドバイス制御部２０１が検出情報を所定の周期で取得するようにしてもよい。
【００４１】
また、アドバイス制御部２０１は、選択したアドバイスを示す情報を音声制御部２０２に入力する。
【００４２】
例えば、センサ部１０１がＣＤ挿入センサにより構成されている場合、アドバイス制御部２０１は、所定の周期で該ＣＤ挿入センサから検出情報を取得し、該取得した検出情報と、以前に取得した検出情報と、ＣＤが挿入されてからの経過時間に基づいて、例えば、しばらくＣＤが挿入されたままである場合、アドバイス制御部１０１は、ＣＤの変更を促すアドバイス、例えば「ほかのＣＤはどうですか？」というアドバイスを行うことを決定する。
【００４３】
また、例えば、センサ部１０１が物検知センサにより構成され、サングラストレイに取り付けられている場合、アドバイス制御部２０１は、所定の周期で該センサ部１０１から検出情報を取得し、該取得した検出情報と、以前に取得した検出情報と、その経過時間に基づいて、例えば、しばらくサングラストレイにサングラスが装着・収納されたままである場合、アドバイス制御部１０１は、サングラスの使用を促すアドバイス、例えば「サングラスはいかがですか？」というアドバイスを行うことを決定する。
【００４４】
また、例えば、センサ部１０１が物検知センサにより構成され、灰皿に取り付けられている場合、アドバイス制御部２０１は、所定の周期で該センサ部１０１から検出情報を取得し、該取得した検出情報と、以前に取得した検出情報と、その経過時間に基づいて、例えば、しばらく吸い殻が捨てられたままである場合、アドバイス制御部１０１は、灰皿の掃除を促すアドバイス、例えば「灰皿に吸い殻が残っています。」というアドバイスを行うことを決定する。
【００４５】
また、例えば、センサ部１０１が重量センサにより構成され、ドリンクフォルダに取り付けられている場合、アドバイス制御部２０１は、所定の周期で該重量センサから検出情報を取得し、該取得した検出情報と、以前に取得した検出情報との差、例えば重量の変化量を求める。重量に変化がない場合、すなわちドリンクの残量がしばらく減っていない場合、アドバイス制御部１０１は、ドリンクを促すアドバイス、例えば「飲み物でもどうですか？」というアドバイスを行うことを決定する。さらに、ドリンクの残量がしばらく減っていない場合、アドバイス制御部１０１は、ドリンクの変更を促すアドバイス、例えば「飲み物が古くなっています。」というアドバイスを行うことを決定するようにしてもよい。
【００４６】
また、例えば、センサ部１０１が重量センサにより構成され、小物入れに取り付けられている場合、アドバイス制御部２０１は、所定の周期で該重量センサから検出情報を取得し、該取得した検出情報と、以前に取得した検出情報との差、例えば重量の変化量を求める。重量に変化がなく、アクセサリ電源（ＡＣＣ）がオフされた場合、すなわち小物入れに入れた物を取り出さず、ＡＣＣがオフにされた場合、アドバイス制御部１０１は、忘れ物の確認を促すアドバイス、例えば「小物入れに忘れ物はありませんか？」というアドバイスを行うことを決定する。
【００４７】
また、例えば、センサ部１０１がＣＤ挿入センサにより構成され、ＣＤプレーヤに取り付けられている場合、アドバイス制御部２０１は、所定の周期で該ＣＤ挿入センサから検出情報を取得し、該取得した検出情報と、以前に取得した検出情報との差、例えばＣＤ挿入の有無を求める。ＣＤが挿入されたまま自宅に到着しＡＣＣがオフされた場合、アドバイス制御部１０１は、ＣＤの確認を促すアドバイス、例えば「ＣＤはそのままでよろしいでしょうか？」というアドバイスを行うことを決定する。
【００４８】
また、例えば、センサ部１０１が重量センサにより構成され、灰皿に取り付けられている場合、アドバイス制御部２０１は、所定の周期で該重量センサから検出情報を取得し、該取得した検出情報と、以前に取得した検出情報との差、例えば重量の変化量を求める。重量に変化がなく、所定の時間が経過した場合、アドバイス制御部１０１は、煙草を勧めるアドバイス、例えば「煙草はいかかですか？」というアドバイスを行うことを決定する。
【００４９】
音声制御部２０２は、アドバイス制御部２０１により入力されたアドバイスを示す情報を音声信号に変換し、スピーカ部１０３に出力する。
【００５０】
スピーカ部１０３は、音声信号制御部２０２により入力された音声信号を出力する。このようにすることにより、車内に持ち込まれた物に対して、その物の状況に応じて、適切な提案を行うことができる。また、音声によりアドバイスを行うことができるため、アドバイスを受けるユーザが感じる不快感を低減することができる。
【００５１】
次に、本実施例にかかる情報提供装置１００の動作について説明する。
【００５２】
本実施例においては、センサ部１０１が物検知センサにより構成されている場合、センサ部１０１が検出量検知センサにより構成されている場合に分けて説明する。
【００５３】
センサ部１０１が物検知センサにより構成されている場合について、図２を参照して説明する。
【００５４】
アドバイス制御部２０１は、物、例えば小物が検出されたか否かを判断する（ステップＳ２０２）。例えば、アドバイス制御部２０１は、センサ部１０１から検出情報が入力されたか否かに基づいて、車内に小物が持ち込まれたか否かを判断する。
【００５５】
小物が検出されたと判断されない場合（ステップＳ２０２：ＮＯ）、ステップＳ２０２に戻る。
【００５６】
一方、小物が検出されたと判断された場合（ステップＳ２０２：ＹＥＳ）、アドバイス制御部２０１は、該小物が検出された時刻（時間）を取得し、検出情報と対応づけて記憶する（ステップＳ２０４）。
【００５７】
次に、アドバイス制御部２０１は所定の時間が経過したか否かを判断する（ステップＳ２０６）。
【００５８】
所定の時間が経過しない場合（ステップＳ２０６：ＮＯ）、ステップＳ２０６に戻る。
【００５９】
一方、所定の時間が経過したと判断した場合（ステップＳ２０６：ＹＥＳ）、アドバイス制御部２０１は、センサ部１０１にアクセスし、該センサ部１０１から検出情報を取得する（ステップＳ２０８）。ここで、センサ部１０１が所定の時間経過したか否かを判断し、所定の時間が経過した場合、アドバイス制御部２０１に検出情報を通知するようにしてもよい。
【００６０】
次に、アドバイス制御部２０１は、取得した検出情報と以前に取得した検出情報とを比較し、検出情報に変化があるか否かを判断する（ステップＳ２１０）。すなわち、検出された小物があるか否かを判断する。
【００６１】
検出情報に変化がある場合（ステップＳ２１０：ＮＯ）、ステップＳ２０６に戻る。
【００６２】
一方、検出情報に変化がない場合（ステップＳ２１０：ＹＥＳ）、アドバイス制御部２０１は、経過時間に応じて適切なアドバイスを生成する（ステップＳ２１２）。
【００６３】
例えば、センサ部１０１がＣＤ挿入センサにより構成され、しばらくＣＤが挿入されたままである場合、アドバイス制御部１０１は、ＣＤの変更を促すアドバイス、例えば「ほかのＣＤはどうですか？」というアドバイスを生成する。
【００６４】
次に、アドバイス制御部２０１は、生成したアドバイスを示す情報を音声制御部２０２に入力する。音声制御部２０２は、アドバイス制御部２０１により入力されたアドバイスを示す情報を音声信号に変換し、スピーカ部１０３に出力する。スピーカ部１０３は、音声信号制御部２０２により入力された音声信号を出力する（ステップＳ２１４）。次に、ステップＳ２０６に戻る。
【００６５】
次に、センサ部１０１が検出量検知センサにより構成されている場合について、図３を参照して説明する。
【００６６】
アドバイス制御部２０１は、物、例えば小物が検出されたか否かを判断する（ステップＳ３０２）。例えば、アドバイス制御部２０１は、センサ部１０１から検出情報が入力されたか否かに基づいて、小物が検出されたか否かを判断する。
【００６７】
小物が検出されたと判断されない場合（ステップＳ３０２：ＮＯ）、ステップＳ３０２に戻る。
【００６８】
一方、小物が検出されたと判断された場合（ステップＳ３０２：ＹＥＳ）、アドバイス制御部２０１は、該小物が検出された時刻（時間）を取得し、検出情報と対応づけて記憶する（ステップＳ３０４）。
【００６９】
次に、アドバイス制御部２０１は所定の時間が経過したか否かを判断する（ステップＳ３０６）。
【００７０】
所定の時間が経過しない場合（ステップＳ３０６：ＮＯ）、ステップＳ３０６に戻る。
【００７１】
一方、所定の時刻が経過したと判断した場合（ステップＳ３０６：ＹＥＳ）、アドバイス制御部２０１は、センサ部１０１にアクセスし、該センサ部１０１から検出情報を取得する（ステップＳ３０８）。ここで、センサ部１０１が所定の時間経過したか否かを判断し、所定の時間が経過した場合、アドバイス制御部２０１に検出情報を通知するようにしてもよい。
【００７２】
次に、アドバイス制御部２０１は、取得した検出情報に含まれる検出量と以前に取得した検出量に基づいて、その変化量を求める（ステップＳ３１０）。
【００７３】
次に、アドバイス制御部２０１は、検出量の変化量が所定の閾値以下であるか否かを判断する（ステップＳ３１２）。
【００７４】
検出量の変化量が所定の閾値以下でない場合（ステップＳ３１２：ＮＯ）、ステップＳ３０６に戻る。
【００７５】
一方、検出量の変化量が所定の閾値以下である場合（ステップＳ３１２：ＹＥＳ）、アドバイス制御部２０１は、経過時間に応じて適切なアドバイスを生成する（ステップＳ３１４）。
【００７６】
例えば、センサ部１０１が重量センサにより構成され、ドリンクフォルダに取り付けられ、ドリンクの残量がしばらく減っていない場合、アドバイス制御部１０１は、ドリンクを促すアドバイス、例えば「飲み物でもどうですか？」というアドバイスを生成する。さらに、所定の経過時間が経過しても、ドリンクの残量が減っていない場合、アドバイス制御部１０１は、ドリンクの変更を促すアドバイス、例えば「飲み物が古くなっています。」というアドバイスを生成するようにしてもよい。このようにすることにより、車内持ち込まれた物に関して、経過時間に応じたアドバイスを行うことができる。このため、従来よりも高度なサービスを提供することができる
次に、アドバイス制御部２０１は、生成したアドバイスを示す情報を音声制御部２０２に入力する。音声制御部２０２は、アドバイス制御部２０１により入力されたアドバイスを示す情報を音声信号に変換し、スピーカ部１０３に出力する。スピーカ部１０３は、音声信号制御部２０２により入力された音声信号を出力する（ステップＳ３１６）。次に、ステップＳ３０６に戻る。
【００７７】
次に、本実施例にかかる情報提供装置１００の他の動作について、図４を参照して説明する。ここでは、車両の状況が変化する場合について説明する。一例として、車両が停止し、ＡＣＣがオフにされ、降車する場合について説明する。
【００７８】
アドバイス制御部２０１は、小物が置かれた時刻、すなわち小物が検出された時刻を取得する（ステップＳ４０２）。
【００７９】
次に、アドバイス制御部２０１は、ＡＣＣがオン、オフにされた時刻を取得する（ステップＳ４０４）。
【００８０】
次に、アドバイス制御部２０１は、該小物が同日に置かれた物であるか否かを判断する（ステップＳ４０６）。例えば、アドバイス制御部２０１は、小物が置かれた時刻とＡＣＣがオンにされた時刻とを比較することにより、小物が置かれた時刻が、ＡＣＣがオンにされた時刻以降である場合に、該小物が同日に置かれた物であると判断する。
【００８１】
小物が同日に置かれた物でないと判断された場合（ステップＳ４０６：ＮＯ）、終了する。
【００８２】
一方、小物が同日に置かれた物であると判断された場合（ステップＳ４０６：ＹＥＳ）、アドバイス制御部２０１は、ＡＣＣがオフにされたか否かを判断する（ステップＳ４０８）。
【００８３】
ＡＣＣがオフにされない場合（ステップＳ４０８：ＮＯ）、終了する。
【００８４】
一方、ＡＣＣがオフにされたと判断された場合（ステップＳ４０８：ＹＥＳ）、アドバイス制御部２０１は、小物の忘れ物がないかを確認させるアドバイス（文言）を生成する（ステップＳ４１０）。
【００８５】
例えば、センサ部１０１が重量センサにより構成され、小物入れに取り付けられている場合、アドバイス制御部１０１は、忘れ物の確認を促すアドバイス、例えば「小物入れに忘れ物はありませんか？」というアドバイスを生成する。
【００８６】
次に、アドバイス制御部２０１は、生成した生成したアドバイスを示す情報を音声制御部２０２に入力する（ステップＳ４１２）。
【００８７】
その後、音声制御部２０２は、アドバイス制御部２０１により入力されたアドバイスを示す情報を音声信号に変換し、スピーカ部１０３に出力する。スピーカ部１０３は、音声信号制御部２０２により入力された音声信号を出力する。
【００８８】
本実施例においては、一例として、重量により物の状態を検知する場合について説明したが、他の検出量に基づいて、物の状態を検知するようにしてもよい。
【００８９】
本実施例では、センサ部を複数備える場合についても同様に適用できる。
【００９０】
本実施例によれば、車内持ち込まれた物に関して、時間・時刻、状態を考慮したアドバイスを行うことができる。このため、高度なサービスを提供することができる。
【００９１】
また、本実施例によれば、音声によりアドバイスを行うことができるため、アドバイスを受けるユーザが感じる不快感を低減することができる。
【図面の簡単な説明】
【００９２】
【図１】本発明の一実施例にかかる情報提供装置を示す部分ブロック図である。
【図２】本発明の一実施例にかかる情報提供装置の動作を示すフロー図である。
【図３】本発明の一実施例にかかる情報提供装置の動作を示すフロー図である。
【図４】本発明の一実施例にかかる情報提供装置の動作を示すフロー図である。
【符号の説明】
【００９３】
１００  情報提供装置
【図１】
2007293610.tif 000003
【図２】
2007293610.tif 000004
【図３】
2007293610.tif 000005
【図４】
2007293610.tif 000006